(57)【要約】【課題】縮径部の外周面が結露するのを抑制したドレントラップを提供する。【解決手段】ドレントラップ２１は、上下方向に沿って延びる筒状に形成されたトラップ本体２２と、トラップ本体内に、トラップ本体の内周面から離間した状態で配置されたトラップ部２４と、トラップ本体の上端部に設けられた縮径部２５と、縮径部の上端部に設けられ、縮径部よりも外径が大きく、上下方向に沿って延びる断熱管が挿入される受け口２６と、縮径部の外周面に配置された保温部２７と、を備える。【選択図】図２
2019152408.tif 000002
【特許請求の範囲】
【請求項１】
上下方向に沿って延びる筒状に形成されたトラップ本体と、
前記トラップ本体内に、前記トラップ本体の内周面から離間した状態で配置されたトラップ部と、
前記トラップ本体の上端部に設けられた縮径部と、
前記縮径部の上端部に設けられ、前記縮径部よりも外径が大きく、上下方向に沿って延びる断熱管が挿入される受け口と、
前記縮径部の外周面に配置された保温部と、
を備えるドレントラップ。
【請求項２】
前記保温部の熱伝導率は、前記縮径部の熱伝導率よりも小さい請求項１に記載のドレントラップ。
【請求項３】
前記保温部は、前記縮径部に対して着脱可能である請求項１又は２に記載のドレントラップ。
【請求項４】
前記保温部の外径と前記受け口の外径とは、互いに同等である請求項１から３のいずれか一項に記載のドレントラップ。
【請求項５】
前記トラップ本体の側面に形成された開口に着脱可能に取付けられて、前記開口を封止する蓋部と、
前記蓋部と前記トラップ部とを接続する連結部材と、
を備え、
前記縮径部の外径は、前記トラップ本体の上端部の外径よりも小さく、
前記トラップ部及び前記連結部材は、前記トラップ本体の前記開口を通して前記トラップ本体から取出し可能である請求項１から４のいずれか一項に記載のドレントラップ。
【請求項６】
請求項１から５のいずれか一項に記載のドレントラップと、
前記断熱管と、
を備えるドレン配管。
【発明の詳細な説明】
【技術分野】
【０００１】
本発明は、ドレントラップ及びドレン配管に関する。
【背景技術】
【０００２】
従来、空調装置で発生したドレン水（凝縮水）を排出するためのドレン配管の縦管路部に、ドレントラップが設けられている（例えば、特許文献１参照）。
ドレントラップは、トラップ本体と、トラップ部と、上部受け口（受け口）と、を備えている。トラップ本体は、上下方向に沿って延びる円筒状に形成されている。トラップ部は、トラップ本体内に配置される。トラップ部は、ドレン水による結露防止のために、トラップ本体の内周面から離間した状態で配置されている。
上部受け口は、トラップ本体の上端部に設けられている。上部受け口内には、通常の排水管が挿入される。
【先行技術文献】
【特許文献】
【０００３】
【特許文献１】特開２０１４−１９８９７８号公報
【発明の概要】
【発明が解決しようとする課題】
【０００４】
このように構成されたドレントラップにおいて、排水管に比べて熱伝導率が小さい断熱管を上部受け口に挿入可能にすることが検討されている。断熱管を用いることにより、断熱管の外周面にさらに断熱材を設ける必要がなくなり、配管作業を効率的に行うことができる。
断熱管は、排水管に比べて熱を径方向に伝達しにくくするために、内径を維持しつつ、外径を大きくしている。断熱管が挿入される上部受け口は、外径が大きくなる。
この場合、トラップ本体内に配置したトラップ部を上部受け口と液密に接続するため、及び、外径が大きいトラップ本体と上部受け口とを接続するために、上部受け口よりも外径が小さい縮径部を設ける場合がある。
【０００５】
トラップ本体において上下方向でドレン水が溜まるトラップ部に対応する部分は、トラップ本体の内周面から離間しているため、ドレン水が冷たくてもトラップ本体の外周面が結露しにくい。トラップ本体の上部受け口は、断熱管が挿入されるため外周面が結露しにくい。しかしながら、本願の発明者らは、縮径部の外周面が結露することを見出した。
【０００６】
本発明は、このような問題点に鑑みてなされたものであって、縮径部の外周面が結露するのを抑制したドレントラップ、及びこのドレントラップを備えるドレン配管を提供することを目的とする。
【課題を解決するための手段】
【０００７】
上記課題を解決するために、この発明は以下の手段を提案している。
本発明のドレントラップは、上下方向に沿って延びる筒状に形成されたトラップ本体と、前記トラップ本体内に、前記トラップ本体の内周面から離間した状態で配置されたトラップ部と、前記トラップ本体の上端部に設けられた縮径部と、前記縮径部の上端部に設けられ、前記縮径部よりも外径が大きく、上下方向に沿って延びる断熱管が挿入される受け口と、前記縮径部の外周面に配置された保温部と、を備える
この発明によれば、ドレン水よりも温度の高い外気が、縮径部の外周面に接触しにくくなるため、外気が冷却されて露点に達し、縮径部の外周面が結露するのを抑制することができる。
本発明のドレントラップを空調装置に適用した場合、空調装置で発生したドレン水の温度が比較的低いことが考えられるため、上記効果が顕著に奏功される。
【０００８】
また、上記のドレントラップにおいて、前記保温部の熱伝導率は、前記縮径部の熱伝導率よりも小さくてもよい。
この発明によれば、保温部は縮径部よりも熱を伝達しにくいため、縮径部の外周面が結露するのを効果的に抑制することができる。
【０００９】
また、上記のドレントラップにおいて、前記保温部は、前記縮径部に対して着脱可能であってもよい。
この発明によれば、保温部を備えないドレントラップに、保温部を後付けすることができる。
【００１０】
また、上記のドレントラップにおいて、前記保温部の外径と前記受け口の外径とは、互いに同等であってもよい。
この発明によれば、保温部がドレントラップの周囲の部材に干渉するのを抑えることができる。
【００１１】
また、上記のドレントラップにおいて、前記トラップ本体の側面に形成された開口に着脱可能に取付けられて、前記開口を封止する蓋部と、前記蓋部と前記トラップ部とを接続する連結部材と、を備え、前記縮径部の外径は、前記トラップ本体の上端部の外径よりも小さく、前記トラップ部及び前記連結部材は、前記トラップ本体の前記開口を通して前記トラップ本体から取出し可能であってもよい。
この発明によれば、ドレントラップを使用しているときには、トラップ本体の開口は蓋部により封止されていて、開口から外部にドレン水が漏れない。一方で、ドレントラップを使用していないときには、トラップ部をトラップ本体から外部に取出して、トラップ部を洗浄する等のメンテナンスを行うことができる。
【００１２】
また、本発明のドレン配管は、上記のいずれかに記載のドレントラップと、前記断熱管と、を備えることを特徴としている。
この発明によれば、縮径部の外周面が結露するのを抑制したドレントラップを用いてドレン配管を構成することができる。
【発明の効果】
【００１３】
本発明のドレントラップ及びドレン配管によれば、縮径部の外周面が結露するのを抑制することができる。
【図面の簡単な説明】
【００１４】
【図１】本発明の一実施形態のドレン配管における構成の概要を示す斜視図である。
【図２】同ドレン配管のドレントラップを側面視した断面図である。
【図３】同ドレントラップの正面図である。
【図４】同ドレントラップのトラップ部を側面視した断面図である。
【図５】同トラップ部からドレンが流れ出る状態を説明する断面図である。
【図６】同ドレントラップの保温部の平面図である。
【図７】同ドレントラップからトラップユニットを引き出した状態を説明する側面視した断面図である。
【図８】本発明の一実施形態の変形例におけるドレントラップを側面視した断面図である。
【図９】本発明の一実施形態の変形例におけるドレントラップを側面視した断面図である。
【発明を実施するための形態】
【００１５】
以下、本発明に係るドレントラップの一実施形態が用いられる建築物を、図１から図９を参照しながら説明する。
図１に示すように、集合住宅やオフィスビルディング等の建築物１には、各階に複数の空調装置１１が設置されている。これら複数の空調装置１１で発生したドレン水Ｗを排出するために、本実施形態のドレン配管１２が設置されている。ドレン配管１２は、同一階に設置された単数又は複数の空調装置１１からのドレン水Ｗを集めるための横管路部１３と、各階の横管路部１３からのドレン水Ｗを集めて下方に流すための縦管路部１４と、を備えている。
【００１６】
横管路部１３は、水平面に沿って延びている。縦管路部１４は、上下方向に沿って延びている。本実施形態では、例えば、横管路部１３及び縦管路部１４は、図２に示す断熱管１５を、図示しない連結管で接続して構成されている。例えば、断熱管１５は、内層管１５ａと、発泡樹脂層１５ｂと、スキン層１５ｃと、を備えている。内層管１５ａは、硬質の塩化ビニル樹脂により形成されている。発泡樹脂層１５ｂは、内層管１５ａの外周面に円筒状に設けられている。スキン層１５ｃは、発泡樹脂層１５ｂの外周面に設けられている。断熱管１５は、発泡樹脂層１５ｂ内の気体により、発泡樹脂層１５ｂを備えない通常の排水管に比べて、熱伝導率が小さい。
なお、図１に示すように、横管路部１３と縦管路部１４とは、管継手１８を用いて接続されている。
【００１７】
縦管路部１４には、本実施形態のドレントラップ２１が設けられている。ドレントラップ２１は、臭気の逆流や、外部からの虫等の侵入を防止するために設けられている。また、横管路部１３の開放側の端部、及び縦管路部１４の上端部には、必要に応じて通気弁２０が設けられている。
次に、ドレントラップ２１の構造の詳細について説明する。
【００１８】
図２及び図３に示すように、ドレントラップ２１は、トラップ本体２２と、蓋部２３と、トラップ部２４と、縮径部２５と、上部受け口（受け口）２６と、保温部２７と、を備えている。なお、蓋部２３、トラップ部２４、及び後述する連結部材３４で、トラップユニット２８を構成する。上部受け口２６、縮径部２５、及びトラップ本体２２は、上方から下方に向かって、上部受け口２６、縮径部２５、及びトラップ本体２２の順で配置されている。
トラップ本体２２は、上下方向に沿って延びる円筒状に形成されている。トラップ本体２２の上端部には、トラップ本体２２の他の部分の外径、内径よりも外径、内径がそれぞれ大きい拡径部２２ｃが設けられている。
【００１９】
トラップ本体２２の側面には、トラップ本体２２をトラップ本体２２の径方向（以下、単に径方向と言う）に貫通する開口２２ａが形成されている。径方向は、水平面に沿う方向である。
例えば、開口２２ａは、開口２２ａに対向するように径方向に見たトラップ本体２２の側面視で、円形状に形成されている。トラップ本体２２における開口２２ａの周縁部には、雌ネジ２２ｂが形成されている。雌ネジ２２ｂの一部は、後述する上部連結片４５にも形成されている。
なお、トラップ本体２２は、角筒状等に形成されてもよい。
【００２０】
蓋部２３は、有底の円筒状に形成されている。蓋部２３の周壁部の外周面には、雄ネジ２３ａが形成されている。蓋部２３の底壁部には、蓋部２３の径方向外側に突出した係合部２３ｂが設けられている。蓋部２３は、底壁部が径方向内側を向くように配置され、雄ネジ２３ａがトラップ本体２２の雌ネジ２２ｂに嵌め合っている。
蓋部２３は、トラップ本体２２の開口２２ａにネジ嵌合により着脱可能に取付けられて、トラップ本体２２の開口２２ａを封止している。
【００２１】
トラップ部２４は、トラップ本体２２内に、トラップ本体２２の内周面から離間した状態で配置されている。図２及び図４に示すように、トラップ部２４は、シリコーンゴム等の柔軟な材料で形成された漏斗状の受け容器である。トラップ部２４は、トラップ本体２２の開口２２ａを通過可能である。トラップ部２４は、口部材３１と、一対の弾性膜３２，３３と、を備えている。口部材３１は、円環状に形成されている。口部材３１の内周面には、溝である係合部３１ａが形成されている。
弾性膜３２，３３の上端部は、水平面に沿って互いに離間するように配置され、口部材３１に連なっている。弾性膜３２，３３は、下方に向かうに従って互いに近づいている。弾性膜３２，３３の下端部は、互いに接触している。弾性膜３２，３３は、角部の無い滑らかに湾曲した形状に形成されている。弾性膜３２，３３は、外力が作用しない自然状態で互いに接触して閉じている、いわゆる自己閉鎖膜である。
【００２２】
図４に示すように、弾性膜３２，３３上のドレン水Ｗの質量が所定の量以下の場合には、弾性膜３２，３３の下端部は互いに接触していて、弾性膜３２，３３よりも下方にドレン水Ｗが流れ出ない。
一方で、図５に示すように、弾性膜３２，３３上のドレン水Ｗの質量が所定の量を超えると、ドレン水Ｗに作用する重力により弾性膜３２，３３の下端部が互いに離間するように弾性的に変形して、弾性膜３２，３３上のドレン水Ｗが下方に排水される。
【００２３】
図２に示すように、トラップ部２４は、蓋部２３とは連結部材３４を介して接続されている。連結部材３４は、トラップ本体２２の開口２２ａを通過可能である。連結部材３４は、第１支持部材３５と、第２支持部材３６と、連結片３７と、を備えている。
第１支持部材３５は、有底の円筒状に形成されている。第１支持部材３５の周壁部の外周面に形成された溝には、シール部材３９が嵌め込まれている。シール部材３９は、トラップ本体２２における開口２２ａの開口周縁部と第１支持部材３５の周壁部との間を水密に封止する。第１支持部材３５の底壁部には、蓋部２３の係合部２３ｂに係合する被係合部３５ａが形成されている。第１支持部材３５は、蓋部２３を水平面に沿う軸線周りに回転可能に支持している。
【００２４】
第２支持部材３６は、円筒状に形成され、軸線が上下方向に沿うように配置されている。第２支持部材３６の下端部には、径方向外側に突出した被係合部３６ａが設けられている。被係合部３６ａは、口部材３１の係合部３１ａに係合している。
第２支持部材３６の上面は、蓋部２３から離間するに従い漸次、下方に向かうように傾斜している。第２支持部材３６の上面には、第２支持部材３６と同軸に溝が形成されている。この溝には、シール部材４１が嵌め込まれている。シール部材４１は、第２支持部材３６と後述する下部連結片４４の下面との間を水密に封止する。
連結片３７は、第１支持部材３５の底壁部と第２支持部材３６の外周面とを接続している。
【００２５】
縮径部２５は、トラップ本体２２の上端部に設けられている。例えば、縮径部２５は、上下方向に沿って延びる円筒状に形成されている。縮径部２５は、トラップ本体２２の上端部に設けられた拡径部２２ｃよりも外径が小さい。例えば、縮径部２５は、周方向においてトラップ本体２２の開口２２ａが形成されている範囲には形成されていなくてもよい。本実施形態では、縮径部２５の外径及び内径は上方に向かうに従い、漸次それぞれ大きくなる。
【００２６】
縮径部２５の下端部には、径方向外側に突出する下部連結片４４が設けられている。下部連結片４４は、縮径部２５の全周にわたって形成されている。下部連結片４４の下面は、蓋部２３から離間するに従い漸次、下方に向かうように傾斜している。この下部連結片４４の下面に、前述のシール部材４１が接触している。
下部連結片４４の径方向外側の端部は、トラップ本体２２の拡径部２２ｃの上端部に連なっている。
縮径部２５の上端部には、径方向外側に突出する上部連結片４５が設けられている。上部連結片４５は、水平面に沿って突出している。上部連結片４５は、縮径部２５の全周にわたって形成されている。
【００２７】
上部受け口２６は、縮径部２５の上端部に設けられている。上部受け口２６は円筒状に形成され、上部連結片４５の外縁部から上方に向かって延びている。上部受け口２６は、縮径部２５よりも外径が大きい。上部受け口２６には、断熱管１５が挿入される。上部連結片４５と断熱管１５との間には、リング状のシール部材５１が配置されている。シール部材５１は、発泡ＰＥ（ポリエチレン）樹脂等で形成されている。
シール部材５１を配置することにより、上部連結片４５と断熱管１５との間でシール部材５１が適宜変形し、上部連結片４５と断熱管１５との間の空間を埋める。このため、断熱管１５の端面が断熱管１５の軸線に対して直交していなくても、上部連結片４５と断熱管１５との間にドレン水Ｗが溜まるのが抑えられる。
【００２８】
なお、下部連結片４４の下面、及び第２支持部材３６の上面は、上部受け口２６とトラップ部２４とを液密に接続する際の接続面となる。
後述するようにトラップ本体２２に対して水平面に沿って移動するトラップ部２４を上部受け口２６と液密に接続するために、トラップ本体２２と上部受け口２６との接続面同士を水平面に対して傾斜させ、一方の接続面に設けたシール部材４１を他方の接続面に、トラップ部２４を水平面に沿って移動させる際の分力により押し付けている。
また、これらの接続面が水平面に対して傾斜していると、トラップ本体２２と上部受け口２６との間の少なくとも周方向の一部に、縮径部２５が形成される。縮径部２５は、主に蓋部２３とは反対側に形成されている。
【００２９】
図２に示すように、本実施形態では、トラップ本体２２の下端部には、連結片５３を介して下部受け口５４が設けられている。連結片５３は、トラップ本体２２の下端部から径方向外側に突出している。連結片５３は、トラップ本体２２の全周にわたって形成されている。
下部受け口５４は、円筒状に形成されている。下部受け口５４は、連結片５３の外縁部から下方に向かって延びている。下部受け口５４は、トラップ本体２２の下端部よりも外径が大きい。
トラップ本体２２の拡径部２２ｃ、上部受け口２６、及び下部受け口５４は、角部が丸みを帯びた形状に形成されている。
トラップ本体２２、縮径部２５、連結片４４，４５、上部受け口２６、連結片５３、及び下部受け口５４は、例えば、ＡＢＳ（アクリロニトリル・ブタジエン・スチレン）樹脂等で一体に形成されている。
下部受け口５４には、断熱管１５が挿入される。連結片５３と断熱管１５との間には、リング状のシール部材５５が配置される。
【００３０】
図６に示すように、保温部２７は、上下方向に見た平面視でＣ字形に形成されている。保温部２７がＣ字形に形成されているため、保温部２７が蓋部２３に干渉するのが抑えられる。保温部２７は、本体５７と、一対の腕部５８，５９と、を備えている。本体５７は、平面視で円弧形に形成されている。本体５７の径方向の長さは、本体５７の周方向の位置によらず同等である。本体５７の内周面（径方向内側の面）は、上方に向かうに従い漸次、径方向外側に向くように傾斜している。
本体５７の周方向の中央部の内周面には、スリット５７ａが形成されていることが好ましい。スリット５７ａは、平面視で本体５７の内周面から外周面の近傍まで径方向外側に延び、本体５７を厚さ方向（上下方向）に貫通している。本体５７にスリット５７ａが形成されているため、腕部５８，５９の後述する隙間を周方向に広げるように本体５７を変形させやすくなる。このため、縮径部２５に保温部２７を着脱させやすくなる。
【００３１】
腕部５８は、本体５７の周方向の第一端部から延びている。腕部５８における径方向外側の面は、平坦に形成されている。腕部５８の内周面は、上方に向かうに従い漸次、径方向外側に向くように傾斜している。腕部５８の周方向の中間部における幅（径方向の長さ）は、腕部５８の周方向の各端部の径方向における幅よりも短い。
腕部５９は、腕部５８と同様に構成されている。すなわち、腕部５９は、本体５７の周方向の第二端部から腕部５８と略平行に延びている。腕部５９における径方向外側の面は、平坦に形成されている。
腕部５８，５９における本体５７とは反対側の端部は、互いに離間していて、これらの端部の間に隙間が形成されている。なお、腕部５８，５９のこの端部は、互いに接触していてもよい。
【００３２】
保温部２７は、縮径部２５よりも熱伝導率の小さい、例えば発泡ＰＥ樹脂等の材料で形成されている。図２に示すように、保温部２７は、、連結片４４，４５の間であって縮径部２５の外周面に配置されている。保温部２７の外径と上部受け口２６の外径とは、互いに同等である。保温部２７の外径は、トラップ本体２２の拡径部２２ｃの外径よりも大きい。
保温部２７は、本体５７を変形させること等により、縮径部２５に対して着脱可能である。
【００３３】
このように構成されたドレントラップ２１では、以下に説明するようにトラップ本体２２に対してトラップユニット２８が着脱可能である。
なお、保温部２７が蓋部２３に干渉しにくいため、トラップユニット２８の着脱は縮径部２５に保温部２７を装着した状態で行ってもよい。
まず、トラップ本体２２に対して蓋部２３を回転させて、雌ネジ２２ｂと雄ネジ２３ａとの嵌め合わせを解除する。このとき、第１支持部材３５に対して蓋部２３が回転するため、トラップ本体２２に対してトラップ部２４は回転しない。
図７に示すように、トラップ本体２２に対してトラップユニット２８を水平面に沿って引き出すと、トラップ部２４及び連結部材３４が、トラップ本体２２の開口２２ａを通してトラップ本体２２から外部に取出される。外部に取出されたトラップユニット２８は、適宜トラップ部２４を洗浄する等のメンテナンスが施される。
【００３４】
一方で、トラップ本体２２内にトラップユニット２８を押し込むと、下部連結片４４の下面及び第２支持部材３６の上面が前述のように傾斜しているため、押し込む力の分力により、図２に示すようにシール部材４１が下部連結片４４の下面と第２支持部材３６の上面との間を水密に封止する。シール部材３９が、トラップ本体２２における開口２２ａの周縁部と第１支持部材３５の周壁部との間を水密に封止する。
トラップ本体２２に対して蓋部２３を回転させ、雌ネジ２２ｂと雄ネジ２３ａとの嵌め合わせる。トラップ本体２２にトラップユニット２８を取付ける。
このように、トラップユニット２８は、トラップ本体２２の開口２２ａに対して径方向に着脱可能である。
【００３５】
次に、以上のように構成されたドレン配管１２の動作について説明する。
各階の空調装置１１を運転すると、各空調装置１１からドレン水Ｗが発生する。各階の空調装置１１で発生したドレン水Ｗは、横管路部１３により集められ、さらに管継手１８を介して縦管路部１４内を下方に向かって流れる。ドレントラップ２１の弾性膜３２，３３上のドレン水Ｗの質量が前記所定の量以下の場合には、弾性膜３２，３３よりも下方にドレン水Ｗが流れ出ない。
【００３６】
このとき、横管路部１３及び縦管路部１４は断熱管１５を連結管で接続して構成されているため、ドレン水Ｗが冷たくても外周面が結露しにくい。ドレントラップ２１のトラップ本体２２において、上下方向でトラップ部２４に対応する部分は、トラップ本体２２から離間しているため、トラップ本体２２の外周面が結露しにくい。縮径部２５の外周面は保温部２７により覆われているため、ドレン水Ｗよりも温度の高いドレントラップ２１の外気が、縮径部２５の外周面に接触しにくい。
弾性膜３２，３３上のドレン水Ｗの質量が所定の量を超えると、弾性膜３２，３３上のドレン水Ｗが下方に排水される。
【００３７】
以上説明したように、本実施形態のドレントラップ２１によれば、保温部２７によりドレン水Ｗよりも温度の高いドレントラップ２１の外気が、縮径部２５の外周面に接触しにくくなるため、外気が冷却されて露点に達し、縮径部２５の外周面が結露するのを抑制することができる。
本実施形態のドレントラップ２１を空調装置１１に適用した場合、空調装置１１で発生したドレン水Ｗの温度が比較的低いことが考えられるため、上記効果が顕著に奏功される。
保温部２７の熱伝導率は、縮径部２５の熱伝導率よりも小さい。このため、縮径部２５の外周面が結露するのを効果的に抑制することができる。
【００３８】
保温部２７は、縮径部２５に対して着脱可能である。このため、保温部２７を備えないドレントラップ２１に、保温部２７を後付けすることができる。
保温部２７の外径と上部受け口２６の外径とは、互いに同等である。これにより、保温部２７がドレントラップ２１の周囲の部材に干渉するのを抑えることができる。
【００３９】
ドレントラップ２１は、トラップ本体２２に対して着脱式であるトラップユニット２８を備える。ドレントラップ２１を使用しているときには、トラップ本体２２の開口２２ａは蓋部２３により封止されていて、開口２２ａから外部にドレン水Ｗが漏れない。一方で、ドレントラップ２１を使用していないときには、トラップ部２４をトラップ本体２２から外部に取出して、トラップ部２４を洗浄する等のメンテナンスを行うことができる。
また、本実施形態のドレン配管１２によれば、縮径部２５の外周面が結露するのを抑制したドレントラップ２１を用いてドレン配管１２を構成することができる。
【００４０】
なお、本実施形態のドレントラップ２１は、以下に説明するようにその構成を様々に変形させることができる。
図８に示すドレントラップ６１は、本実施形態のドレントラップ２１の連結部材３４に代えて、連結部材６２、操作レバー６３、を備えている。なお、図８及び図９に示すドレントラップ６１，１０１では、トラップ部２４の弾性膜３２，３３の角部の無い滑らかに湾曲した形状、及び、トラップ本体２２の拡径部２２ｃ、上部受け口２６、下部受け口５４等の角部の丸みを帯びた形状を省略して、角部を有する形状で示している。
図８において、蓋部２３、トラップ部２４、及び連結部材６２で、トラップユニット６４を構成する。
【００４１】
トラップ本体２２の開口２２ａには、第一フランジ部６６と、円筒部６７と、第二フランジ部６８と、が設けられている。
第一フランジ部６６は、円環状に形成され、第一フランジ部６６の内縁部がトラップ本体２２の開口２２ａに連なっている。円筒部６７は、第一フランジ部６６の外縁部から、径方向外側に延びている。第二フランジ部６８は、円筒部６７が延びる先端部から円筒部６７の径方向外側に向かって突出している。第二フランジ部６８は、円筒部６７の全周にわたって形成されている。
【００４２】
操作レバー６３は、蓋部２３の周壁部の外周面に、雄ネジ２３ａに代えて設けられている。操作レバー６３は、支持片７１と、揺動部材７２と、爪部７３と、を備えている。
支持片７１は、蓋部２３の周壁部の外周面から周壁部の径方向外側に向かって突出している。揺動部材７２は、支持片７１が突出する先端部から、周壁部の軸線方向に沿ってそれぞれ延びている。揺動部材７２は、支持片７１に対して揺動できる。
爪部７３は、揺動部材７２における径方向内側の端部に設けられている。爪部７３は、揺動部材７２から蓋部２３の周壁部の外周面に向かって突出している。爪部７３及び支持片７１は、トラップ本体２２の第二フランジ部６８を径方向に挟み込み、爪部７３が第二フランジ部６８に係合している。蓋部２３は、トラップ本体２２の開口２２ａに、いわゆるツメ嵌合により着脱可能に取付けられている。
【００４３】
連結部材６２は、前述の連結部材３４において第１支持部材３５を備えていなく、第２支持部材３６及び連結片３７を備えている。連結片３７は、蓋部２３の底壁部と第２支持部材３６の外周面とを接続している。蓋部２３は、連結部材６２に対して固定されていて、水平面に沿う軸線周りに回転できない。
【００４４】
このように構成された変形例のドレントラップ６１では、以下に説明するようにトラップ本体２２に対してトラップユニット６４が着脱可能である。
まず、揺動部材７２を操作して、第二フランジ部６８と爪部７３との係合を解除する。トラップ本体２２に対してトラップユニット６４を水平面に沿って引き出すと、トラップユニット６４のトラップ部２４及び連結部材６２が、トラップ本体２２の開口２２ａを通してトラップ本体２２から外部に取出される。
一方で、トラップ本体２２内にトラップユニット６４を押し込むと、第二フランジ部６８に支持片７１が突き当たる。このとき、第二フランジ部６８に爪部７３が係合し、トラップ本体２２にトラップユニット６４が取付けられる。
【００４５】
図９に示すドレントラップ１０１は、変形例のドレントラップ６１のトラップ部２４に代えて、トラップ部１０２を備えている。なお、蓋部２３、トラップ部１０２、及び連結部材６２で、トラップユニット１０３を構成する。
トラップ部１０２は、案内管９２と、封止板１０６と、錘１０７と、を備えている。
案内管９２は、第２支持部材３６の内部空間の周縁部から下方に向かって延びている。案内管９２の下面は、蓋部２３から離間するに従い漸次、下方に向かうように傾斜している。案内管９２は、トラップ本体２２から径方向内側に離間して配置されている。
封止板１０６は、封止板１０６上に所定の量を超える質量のドレン水Ｗがない場合には、案内管９２の下面に接触し、案内管９２の下端部の開口を液密に封止している。封止板１０６は錘１０７と一体となって、案内管９２の下端部に設けられたヒンジ等の軸部材１０９周りに回転可能に支持されている。
錘１０７は、封止板１０６に固定されている。封止板１０６上に所定の量を超える質量のドレン水Ｗがない場合に案内管９２の下面に封止板１０６を接触させるように、錘１０７の質量が設定されている。
【００４６】
このように構成された変形例のドレントラップ１０１では、封止板１０６上のドレン水Ｗの質量が所定の量以下の場合には、案内管９２よりも下方にドレン水Ｗが流れ出ない。
一方で、封止板１０６上のドレン水Ｗの質量が所定の量を超える場合には、封止板１０６が案内管９２の下面から離間し、案内管９２内のドレン水Ｗが下方に排水される。
なお、トラップ本体２２に対してトラップユニット１０３が着脱される手順は、変形例のドレントラップ６１と同様である。
【００４７】
以上、本発明の一実施形態及び変形例について図面を参照して詳述したが、具体的な構成はこの実施形態に限られるものではなく、本発明の要旨を逸脱しない範囲の構成の変更、組み合わせ、削除等も含まれる。
例えば、前記実施形態では、保温部２７の熱伝導率は、縮径部２５の熱伝導率と同等、又は大きくてもよい。
【００４８】
保温部２７は縮径部２５と一体に形成され、縮径部２５に対して着脱できなくてもよい。
トラップ本体２２は、円筒状に限定されず、角筒状や、平面視で楕円の筒状に形成されてもよい。保温部２７の外径は、上部受け口２６の外径よりも大きくてもよいし、上部受け口２６の外径よりも小さくてもよい。
ドレントラップ２１は、連結片５３及び下部受け口５４を備えなくてもよい。ドレントラップ６１，１０１についても、同様である。
【００４９】
ドレントラップは、トラップ本体２２からトラップユニット２８が着脱式のトラップでなく、トラップ本体２２にトラップ部２４が固定されているトラップでもよい。この場合、ドレントラップは蓋部２３を備えず、トラップ本体２２に開口２２ａは形成されない。
本実施形態のドレントラップは、空調装置だけでなく、空気を圧縮させる圧縮機やボイラー等にも用いることができる。
【符号の説明】
【００５０】
１２  ドレン配管
１５  断熱管
２１，６１，１０１  ドレントラップ
２２  トラップ本体
２２ａ  開口
２３  蓋部
２４，１０２  トラップ部
２５  縮径部
２６  上部受け口（受け口）
２７  保温部
３４，６２  連結部材
Ｗ    ドレン
【図１】
2019152408.tif 000003
【図２】
2019152408.tif 000004
【図３】
2019152408.tif 000005
【図４】
2019152408.tif 000006
【図５】
2019152408.tif 000007
【図６】
2019152408.tif 000008
【図７】
2019152408.tif 000009
【図８】
2019152408.tif 000010
【図９】
2019152408.tif 000011